(57)【要約】【課題】  分岐線が縺れることを防止する部材を挿入するとき、連結具が破損されなく、外部荷重によっても折れない弾性力を持つスプリングを備えた釣り用連結具を提供する。【解決手段】  釣り仕掛けに多数の分岐線９０を連結するための釣り用連結具１００であって、前記連結具１００は、一方の側または両側にスプリング２００が設けられ、前記スプリング２００の長さの分のだけ分岐線９０の移動半径が制限される。【選択図】  図３
0003173816.tif 000002
【実用新案登録請求の範囲】
【請求項１】
釣り仕掛けに多数の分岐線（９０）を連結するための釣り用連結具（１００）において、
前記連結具（１００）は、一方の側または両側にスプリング（２００）が設けられ、前記スプリング（２００）の長さの分のだけ分岐線（９０）の移動半径が制限されることを特徴とする、スプリングを備えた釣り用連結具。
【請求項２】
前記連結具（１００）は、一方の側から他方の側に分岐糸孔（８５）が穿設され、他方の側には前記分岐糸孔（８５）を含む収容穴（１１０）が形成され、前記収容穴（１１０）にスプリング（２００）が結合されることを特徴とする、請求項１に記載のスプリングを備えた釣り用連結具。
【請求項３】
前記連結具（１００）は、一方の側から他方の側に分岐糸孔（８５）が穿設され、外周に沿って係合孔（１２０）が形成され、前記係合孔（１２０）にスプリング（２００）が結合されることを特徴とする、請求項１に記載のスプリングを備えた釣り用連結具。
【請求項４】
前記連結具（１００）は、前記分岐糸孔（９５）の左右側を貫通する道糸孔（９５）が形成されることを特徴とする、請求項２または３に記載のスプリングを備えた釣り用連結具。
【請求項５】
前記連結具（１００）と前記スプリング（２００）が結合された形状は'Ｔ'字形であることを特徴とする、請求項４に記載のスプリングを備えた釣り用連結具。
【請求項６】
前記連結具（１００）は楕円形であることを特徴とする、請求項２または３に記載のスプリングを備えた釣り用連結具。
【考案の詳細な説明】
【技術分野】
【０００１】
本考案はスプリングを備えた釣り用連結具に係り、連結具にスプリングを挿入することで、多数の釣針を連結しても道糸に連結された分岐線が道糸に縺れることを防止するスプリングを備えた釣り用連結具に関する。
【背景技術】
【０００２】
一般に、一本の釣竿に多数の釣り針を備えるためには、道糸と分岐線を連結する連結具を介在して使用した。
図１は従来の分岐線を連結する連結具の断面を示す断面図である。
【０００３】
楕円形に形成される胴体２の内部には互いに交差しないように縦方向には道糸孔３と横方向には分岐糸孔４を形成した連結具１を構成し、この連結具１の道糸孔３には道糸５を挿入し、横方向の分岐糸孔３には分岐線６を挿入したもので、それぞれの分岐線６の末端には釣り針を備えて使った。
【０００４】
しかし、このような構成の連結具１に道糸５と分岐線６を挿入して分岐線６に釣り針を連結し、釣竿で魚を捕るために投擲すれば、道糸５に分岐線６が近接して形成されており、連結具１の重量中心の付近に道糸５が位置して分岐線連結具１が回転しやすくなって、釣りをするために釣針を投げれば、分岐線６が道糸５に縺れやすくなって、所望の位置に分岐線に連結された釣り針が位置することができなくて釣り効率が低下する問題点があった。
【０００５】
そのため、本出願人は２００３年１月７日に釣り用分岐線連結具を出願して前記問題点を克服して、多数の釣り針を連結しても道糸に連結された分岐線が道糸に縺れることになることを防止して釣り効率を向上させる効果を得た。
図２は本出願人が出願した釣り用分岐線連結具を示す図である。
図２に示すように、連結具は一方の側に溝が形成され、分岐線の回転半径を制限する合成樹脂材の管が溝に挿入されている。
【０００６】
しかし、金属材の管を連結具に挿入するとき、摩擦力によって連結具が破損される問題点があった。
また、管は弾性力が持つことができないので、せん断力を提供する外部荷重によって折れる問題点があった。
【考案の概要】
【考案が解決しようとする課題】
【０００７】
本考案は前記の問題点を解決するためになされたもので、分岐線が縺れることを防止する部材を挿入するとき、連結具が破損されなく、外部荷重によっても折れない弾性力を持つスプリングを備えた釣り用連結具を提供することにその目的がある。
【課題を解決するための手段】
【０００８】
前述したような目的を達成するために、本考案は、釣り仕掛けに多数の分岐線を連結するための釣り用連結具において、前記連結具は、一方の側または両側にスプリングが設けられ、前記スプリングの長さの分のだけ分岐線の移動半径が制限されることを特徴とする、スプリングを備えた釣り用連結具を提供する。
前記連結具は、一方の側から他方の側に分岐糸孔が穿設され、他方の側には前記分岐糸孔を含む収容穴が形成され、前記収容穴にスプリングが結合されることができる。
【０００９】
前記連結具は、一方の側から他方の側に分岐糸孔が穿設され、外周に沿って係合孔が形成され、前記係合孔にスプリングが結合されることができる。
前記連結具は、前記分岐糸孔の左右側を貫通する道糸孔が形成されることができる。
前記連結具と前記スプリングが結合された形状は'Ｔ'字形であってもよい。
前記連結具は楕円形であってもよい。
【考案の効果】
【００１０】
以上のように、道糸に多数本の分岐線を連結するとき、互いに縺れることがなくて釣りの成功率が高くなり、連結具が破損されないので頻繁な入れ替えの必要がなく、連結具の購入による費用負担をなくして経済的利益を提供する。
【図面の簡単な説明】
【００１１】
【図１】図１は従来の分岐線を連結する連結具の断面図である。
【図２】図２は本出願人が出願した釣り用分岐線連結具の断面図である。
【図３】図3は本考案によるスプリングを備えた釣り用連結具を示す断面図である。
【図４】図4は本考案によるスプリングを備えた釣り用連結具を示す断面図である。
【図５】図5は本考案によるスプリングを備えた釣り用連結具を示す断面図である。
【図６】図6は本考案によるスプリングを備えた釣り用連結具を示す断面図である。
【図７】図7は本考案によるスプリングを備えた釣り用連結具を示す断面図である。
【図８】図8は従来の連結具を示す断面図である。
【図９】図9は本考案によるスプリングを備えた釣り用連結具を示す他の断面図である。
【図１０】図１0は本考案によるスプリングを備えた釣り用連結具を示すさらに他の断面図である。
【図１１】図１1は本考案によるスプリングを備えた釣り用連結具を示すさらに他の断面図である。
【考案を実施するための形態】
【００１２】
以下、添付図面に基づいて本考案によるスプリングを備えた釣り用連結具を説明する。
【００１３】
図３は本考案によるスプリングを備えた釣り用連結具を示す断面図、図４は本考案によるスプリングを備えた釣り用連結具を示す断面図、図５は考案によるスプリングを備えた釣り用連結具を示す断面図、図６は本考案によるスプリングを備えた釣り用連結具を示す断面図である。
【００１４】
図３〜図６に示すように、釣り仕掛けの多数の分岐線９０を連結するための釣り用連結具１００において、前記連結具１００一方の側にはスプリング２００が設けられ、前記スプリング２００の長さの分だけ分岐線９０の移動半径が制限されるように構成される。
以下、それぞれの構成を詳細に説明する。
通常、釣り仕掛けは、重りが付けられた道糸８０に、漁獲量を増やすために多数本の分岐線９０が連結具１００を介して連結されている。
【００１５】
また、道糸８０は多くの分岐線９０を連結するために、分岐線９０間隔を狭くすることになる。
本考案による連結具１００は、一方の側にスプリング２００が備えられて、前記分岐線９０の回転半径の範囲を制限することができるようになる。
また、前記スプリング２００は弾性力を持つので外部からのせん断力によって折れないで曲がるので、スプリング２００をよく交換する必要がなくなる。
【００１６】
したがって、従来の金属材質の管を連結具１００に挿入するときに発生する摩擦荷重によって連結具１００が破損されなく、管に外部からのせん断力が加わっても管が折れないので、よく入れ替る必要がなくなる。
【００１７】
好ましくは、前記連結具１００の一方の側から他方の側に貫設された分岐糸孔８５が形成され、他方の側には前記分岐糸孔８５を含む収容穴１１０が形成され、前記収容穴１１０にスプリング２００が結合されることが良い。
【００１８】
前記連結具１００は、前記分岐線９０を連結するために、一方の側から他方の側に前記分岐線９０の直径より大きい分岐糸孔８５が形成される。通常、前記分岐線９０の一端は結び目によって前記分岐糸孔９５から分岐線９０が抜け出ることを防止することができる。
【００１９】
前記連結具１００は、他方の側に前記分岐糸孔８５を含んで陷沒した収容穴１１０が形成される。これは前記連結具１００に前記スプリング２００を結合するためのもので、前記収容穴１１０にスプリング２００が挿入される。
【００２０】
ここで、前記収容穴１１０は前記スプリング２００の直径より少なく形成される場合はスプリング２００を収容穴１１０に締まりばめされ、収容穴１１０がスプリング２００より大きい場合には別途の接着剤を使うことが良い。
【００２１】
好ましくは、前記連結具１００の一方の側から他方の側に分岐糸孔８５が貫設され、外周に沿って係合孔１２０が形成され、前記係合孔１２０にスプリング２００が結合されることが良い。
前記分岐糸孔８５が形成されることは前述したようであり、前記連結具１００は他方の側外周に沿って係合孔１２０が形成される。
【００２２】
これは、前記スプリング２００を前記連結具１００の外周に結合するためのもので、前記係合孔１２０に前記スプリング２００の端部が接触することになる。通常、前記スプリング２００は弾性力を持つので、前記連結具１００の外周に締まりばめされた後、前記係合孔１２０で前記スプリング２００の弾性力が復元することで結合される。
好ましくは、前記連結具１００は前記分岐糸孔８５の左右側を貫く道糸孔９５が形成されることが良い。
【００２３】
前記連結具１００は分岐線９０を道糸８０に連結するための連結媒体で、道糸８０が連結されるように分岐糸孔８５の左右側を貫く道糸孔９５が形成される。
図５または図６に示すように、前記連結具１００と前記スプリング２００が結合された形状は'Ｔ'字形のものが良い。
前記連結具１００は道糸８０が連結される道糸部１３０と、前記道糸部１３０から直角に形成される分岐線部１４０とからなる。
したがって、前記道糸部１３０は前記道糸孔９５が形成され、前記道糸部１３０と前記分岐線部１４０を貫いて分岐糸孔８５が形成される。
【００２４】
また、前記分岐線部１４０に前記収容穴１１０または係合孔１２０が形成される。
好ましくは、前記連結具１００は楕円形のものが良い。これは、前記連結具１００が水の抵抗を少なく受けるためである。
図７は本考案によるスプリングを備えた釣り用連結具を示す断面図、図８は従来の連結具を示す断面図である。
【００２５】
図７及び図８に示すように、前記スプリング２００が前記連結具１００に結合されるので、前記分岐線９０が動く軌跡が従来より小さくなるので、分岐線９０が互いに縺れることが少なくなる。
【００２６】
これは、円弧の長さは半径＊角度であるので、角度は同一であるが、前記スプリング２００の長さの分だけ半径が減少してスプリング２００が結合された連結具１００の分岐線９０の軌跡が小さくなる。
【００２７】
図９は本考案によるスプリングを備えた釣り用連結具を示す他の断面図、図１０は本考案によるスプリングを備えた釣り用連結具を示すさらに他の断面図、図１１は本考案によるスプリングを備えた釣り用連結具を示すさらに他の断面図である。
【００２８】
図９〜図１１に示すように、本考案は、前記連結具１００の一方の側に前記スプリング２００が結合されるだけでなく、他方の側に前記スプリング２００が結合されるので、多くの分岐線９０を連結することができる。
【００２９】
以上のように、連結具にスプリングを形成することを基本的な技術的思想とし、これは例示的なものに過ぎなく、当該分野で通常の知識を持った者であればこれから多様な変形及び均等な実施例が可能であるという点を理解することができ、本考案の真正な技術的保護範囲は添付の請求範囲によって決まらなければならない。
【産業上の利用可能性】
【００３０】
本考案は、連結具にスプリングを挿入することで、多数の釣り針を連結しても道糸に連結された分岐線が道糸に縺れることを防止するスプリングを備えた釣り用連結具に適用可能である。
【符号の説明】
【００３１】
８０    道糸
８５    道糸孔
９０    分岐線
９５    分岐糸孔
１００    連結具
１１０    収容穴
１２０    係合孔
１３０    道糸部
１４０    分岐線部
２００    スプリング
【図１】
0003173816.tif 000003
【図２】
0003173816.tif 000004
【図３】
0003173816.tif 000005
【図４】
0003173816.tif 000006
【図５】
0003173816.tif 000007
【図６】
0003173816.tif 000008
【図７】
0003173816.tif 000009
【図８】
0003173816.tif 000010
【図９】
0003173816.tif 000011
【図１０】
0003173816.tif 000012
【図１１】
0003173816.tif 000013